(57)【要約】【課題】　デバイスが包装された状態である間、消費者がデバイスを試験するために起動され得る、バッテリー駆動のデバイスに組み込むための低コストの一時スイッチを提供することである。【解決手段】　畳み込まれたバイメタルテストストリップが、非ゼロの休止電流ドレインを有する懐中電灯内のバッテリーと電気回路との間に挿入される。テストストリップを押し込んで、消費者は、懐中電灯を一時的に試験することができる。このストリップは、その後、懐中電灯が購買された後、消費者によって除去される。【選択図】　なし【特許請求の範囲】
【請求項１】
　バッテリー駆動デバイスを試験するための、低コストの畳み込みテストストリップであって、該ストリップは、該バッテリーを組み込む電力供給回路の端子間に配置可能であり、
　上面および下面ならびに第１の終端部および第２の終端部を規定する長細い可撓性の絶縁層と、
　該上面の上部導電層および該下面の下部導電層であって、該上部導電層および該下部導電層は、該絶縁層によって互いに電気的に絶縁される、上面の上部導電層および下面の下部導電層と、
　該ストリップの該第１の終端部に隣接する畳み込み部分であって、該下部導電層の一部が上にカンチレバーされ、該上部導電層の隣接するカンチレバーされない部分に対して弾性的に浮き、これにより、該ストリップの該カンチレバーされた部分は、該ストリップの該カンチレバーされない部分に対して押し付けられ得て、該導電層間に電気的連続性を設ける、畳み込み部分と
　を備える、低コストの畳み込みテストストリップ。
【請求項２】
　前記絶縁層は、可撓性および弾性の両方であり、これにより、前記カンチレバーされたおよびカンチレバーされない部分が互いにはずされると、前記電気的連続性が中断されて、前記テストストリップが繰返し用いられ得る、請求項１に記載の畳み込みテストストリップ。
【請求項３】
　前記畳み込み部分は、前記ストリップを、縦軸回りに１８０度ねじることを含む、請求項１に記載の畳み込みテストストリップ。
【請求項４】
　前記畳み込み部分は、前記ストリップの第１および第２の折り目を含む、請求項１に記載の畳み込みテストストリップ。
【請求項５】
　前記第１の折り目は、前記カンチレバーされない部分に対して約４５度の角度であり、該第２の折り目は、該第１の折り目に対して１３５度であり、従って、前記ストリップは、それ自体の上に折られて戻されて、前記カンチレバーされたおよび該カンチレバーされない部分は、実質的に、互いに並行である、請求項４に記載の畳み込みテストストリップ。
【請求項６】
　前記絶縁層はポリマーレジンから製作され、前記上部導電層および前記下部導電層は金属から製作される、請求項１に記載の畳み込みテストストリップ。
【請求項７】
　前記金属は銅である、請求項６に記載の畳み込みテストストリップ。
【請求項８】
　前記金属はアルミニウムである、請求項６に記載の畳み込みテストストリップ。
【請求項９】
　前記ストリップの前記第２の終端部は、前記バッテリー駆動のデバイス内に前記バッテリーを組み込む電力供給回路の端子間に配置される、請求項１に記載の畳み込みテストストリップ。
【請求項１０】
　前記バッテリー駆動のデバイスは、個人用懐中電灯である、請求項９に記載の畳み込みテストストリップ。
【請求項１１】
　バッテリー駆動のデバイスを試験するための低コストの畳み込みテストストリップであって、該ストリップは、バッテリーを組み込む電力供給回路の端子間に配置可能であり、
　上面および下面を規定する細長い絶縁層と、
　該上面上の上部導電層と、
　該下面上の下部導電層と、
　該ストリップの終端部に隣接する畳み込み部分であって、該下部導電層の一部が上にカンチレバーされ、該上部導電層の隣接するカンチレバーされない部分に対して浮き、これにより、該ストリップの該カンチレバーされた部分は、該ストリップの該カンチレバーされない部分に対して押し付けられ得て、該導電層間に電気的連続性を設ける、畳み込み部分と
　を備える、テストストリップ。
【請求項１２】
　前記絶縁層は、可撓性および弾性の両方であり、従って、前記カンチレバーされたおよびカンチレバーされない部分が互いにはずされると、前記電気的連続性が中断されて、前記テストストリップが繰返し用いられ得る、請求項１１に記載の畳み込みテストストリップ。
【請求項１３】
　前記畳み込み部分は、前記ストリップを、縦軸回りに１８０度ねじることを含む、請求項１１に記載の畳み込みテストストリップ。
【請求項１４】
　前記畳み込み部分は、前記ストリップの第１および第２の折り目を含む、請求項１１に記載の畳み込みテストストリップ。
【請求項１５】
　前記第１の折り目は、前記カンチレバーされない部分に対して約４５度の角度であり、該第２の折り目は、該第１の折り目に対して１３５度であり、従って、前記ストリップは、それ自体の上に折られて戻されて、前記カンチレバーされたおよび該カンチレバーされない部分は、実質的に、互いに並行である、請求項１４に記載の畳み込みテストストリップ。
【請求項１６】
　前記絶縁層はポリマーレジンから製作され、前記上部導電層および前記下部導電層は金属から製作される、請求項１１に記載の畳み込みテストストリップ。
【請求項１７】
　前記金属は銅である、請求項１６に記載の畳み込みテストストリップ。
【請求項１８】
　前記金属はアルミニウムである、請求項１６に記載の畳み込みテストストリップ。
【請求項１９】
　前記ストリップの前記畳み込み部分から遠位の端は、前記バッテリー駆動のデバイス内に前記バッテリーを組み込む電力供給回路の端子間に配置される、請求項１１に記載の畳み込みテストストリップ。
【請求項２０】
　バッテリー駆動のデバイスを試験する畳み込み試験ストリップを製作するプロセスであって、該ストリップは、バッテリーを組み込む電力供給回路の端子間に配置可能であり、
　電気的絶縁材料から製作された細長い可撓性ストリップを提供する工程と、
　該ストリップの両面を導電性材料でコーティングする工程と、
　該ストリップの終端部分を第１の折り目にて、該ストリップの本体部分に対してほぼ第１の角度で畳み込んでタブ部分を形成する工程と、
　該タブ部分を第１の折り目にて、該第１の折り目に対して第２の角度で畳み込む工程であって、該タブ部分が、該本体部分の上にカンチレバーの態様で浮き、これにより、該タブ部分を該本体部分に押し付けることで該ストリップの両面間に電気的連続性が設けられ得る、畳み込む工程と
　を包含する、プロセス。
【発明の詳細な説明】
【技術分野】
【０００１】
　（技術分野）
　本発明は、低コストの使い捨てテストスイッチに関する。より具体的には、本発明は、消費者がバッテリー駆動のデバイスの電気特性を判定するために用いる低コストの使い捨てテストスイッチに関する。
【背景技術】
【０００２】
　（発明の背景）
　最近、低コストのテストスイッチが利用可能になり、従って、消費者は、バッテリー等の電子デバイスの特性を検証し得る。現在、消費者が、多くの場合、バッテリーのパッケージングに統合されたストリップをバッテリーの正端子および負端子に押し付けることにより、バッテリー（例えば、ＡＡサイズ、ＡＡＡサイズ等）の電荷レベルを判定することを可能にする「テストストリップ」が利用可能である。電流は、熱を発生させるストリップを通って流れる。従って、ストリップ内の熱変色材料は色を変更して、バッテリーの電荷を示す。特許文献１および特許文献２は、当技術に関する技術水準を図示する、バッテリーテストストリップを製作するデバイスおよび技術を開示する。この開示は、参考のため、本明細書中に援用される。このタイプのデバイスは、その使用目的にとって有用であるが、このデバイスは、バッテリーと接続される電子デバイスを試験するためには適切でない。
【０００３】
　消費者の懐中電灯の分野において、消費者が、使用前に懐中電灯を試験することを所望することが多い。このような多くの懐中電灯は、バッテリーがすでに組み込まれて売り出されている。懐中電灯に押しボタンタイプの自己復帰型オン／オフスイッチが提供されている場合、製造業者は、多くの場合、パッケージングを通して自己復帰型押しボタンスイッチの作動を可能にするパッケージングを提供して、消費者が懐中電灯のこのような試験を実行することを可能にする。伝統的に、このタイプの懐中電灯は、白熱電球と直列に接続されている（すべてがプラスチックまたは金属のハウジング内に含まれる）１つ以上の乾電池を利用する。
【０００４】
　半導体技術における最近の進歩は、この技術分野の熟練工に、主な光源として発光ダイオード（以後、時折「ＬＥＤ」）を白熱電球と置き換える機会を提供した。ＬＥＤは、白熱電球と比較して、電流の消費に関してはるかに効率的である。効率が向上したために、標準の複数の「Ｄ」セル、「ＡＡ」セル等を小さい円盤形状の、いわゆる「ボタンセル」と置換することが可能である。このタイプの日用懐中電灯の初期の例は、特許文献３に開示される。Ｔａｂｏｒ特許の開示は、参考のため、本明細書中に援用される。Ｔａｂｏｒにより開示されるデバイスは、円盤形状のバッテリー、ＬＥＤ、およびスナップ閉め（ｓｎａｐ−ｓｈｕｔ）ケースの半分の１つを貫通する押しボタンを含む、２つの部分からなるスナップ嵌め（ｓｎａｐ−ｆｉｔ）ケースを有する。エレクトロニクス分野における当業者に周知のように、ＬＥＤは、２つの足を有する。一方の足は、ＬＥＤのアノードと接続され、他方、残りの足は、カソードと接続される。Ｔａｂｏｒは、有利にも、ＬＥＤの足の１つをボタンバッテリーの一方の側（すなわち、１つの端子）の近傍に配置し、他方、残りの足の弾性の性質が、通常、バッテリーのもう一方の側（すなわち、もう１つの端子）から間隔を置いた関係で存在するように配置した。押しボタンは、この残りの足をボタンバッテリーのもう一方の端子に押し付けるために用いられ、これにより、電気回路を完全にして、ＬＥＤを発光させる。ボタンからの圧力の解除は、ＬＥＤの足がボタンバッテリーのもう一方の端子との接触から元の位置に戻ることを可能にし、これにより、電気回路を遮断してＬＥＤを消す。Ｔａｂｏｒにおいて開示されたタイプの日用懐中電灯は、有利にも、パッケージングが、消費者がボタンを押すことを許す場合、製品が包装されているとしても、購買時点で消費者によって試験され得る。
【０００５】
　ボタンセルバッテリーおよびＬＥＤ光源は、特許文献４に開示される。Ａｌｌｅｎのデバイスは、マイクロプロセッサまたはマイクロコントローラ回路をＬＥＤ／バッテリー／押しボタン回路に組み込み、発光デバイスに、点滅モード、自動オフモード、低電力モード等を含む強化特性を提供する。これらのファクタは、すべて、マイクロプロセッサまたはマイクロコントローラの論理演算によって押しボタンを連続的に押すことによって制御される。Ｔａｂｏｒにより開示されたデバイスと比較して、Ａｌｌｅｎによって開示されたデバイスの不利な点は、現在のマイクロプロセッサまたはマイクロコントローラの電流ドレインは「スリープモード」において（すなわち、いかなる論理機能も実行しない間）も相対的に小さいが、このようなデバイスの休止電流ドレインは非ゼロであることである。従って、通常１０年を越える使用期限を有し得るボタンセルＬＥＤタイプの個人用懐中電灯は、このようなデバイスが現在のマイクロプロセッサまたはマイクロコントローラを組み込む場合、約２〜３年の使用期限を有するにすぎない。このような結果になることを回避するために、Ａｌｌｅｎの国際公報に開示されたポータブル発光デバイス等のデバイスの製造業者は、絶縁材料のストリップをボタンセルバッテリーの１つの端子と、マイクロプロセッサまたは他の回路素子の電気接点との間に挿入して、回路が完全になることを防止し得る。デバイスを購買すると、消費者は、この絶縁ストリップを単に除去してデバイスを機能させる。このデバイスに二枚貝のようなスナップ嵌めケースが提供されると、多くの場合、絶縁ストリップは、デバイスケースを開け閉めすることなく、絶縁ストリップの自由端を強く引っ張ることによってデバイスから除去され得る。
【０００６】
　上述の絶縁ストリップは、開示されたタイプの個人用発光デバイスが商店に陳列されている間は、所望でない電流ドレインの問題を解決するが、デバイスが包装された状態である間、この絶縁ストリップは、消費者が個人用発光デバイスを試験し得ることを妨げる。この結果は、マーケティングの視点からすると望ましくない。
【特許文献１】米国特許第６，０５４，２３４号明細書
【特許文献２】米国特許第５，９２５，４８０号明細書
【特許文献３】米国特許第５，３８６，３５１号明細書
【特許文献４】国際公開第０１／７７５７５号　Ａ１パンフレット
【発明の開示】
【発明が解決しようとする課題】
【０００７】
　（発明の要旨）
　従って、本発明の目的は、デバイスの試験をする際に、デバイスが包装された状態である間、消費者がデバイスを試験するために起動され得る、バッテリー駆動のデバイスに組み込むための低コストの一時スイッチを提供することである。
【０００８】
　本発明のさらなる目的は、上述の目的を達成し、かつそのデバイスが購買されてその包装が除去された後に、消費者によって容易に除去され得る一時試験スイッチを提供することである。
【０００９】
　本発明のさらに別の目的は、上述の目的を達成し、かつ製造が安価であり、簡単に使用できるテストスイッチを提供することである。
【課題を解決するための手段】
【００１０】
　本発明は、上述の目的、ならびに以下の説明から明らかである他の目的および有利な点を、バッテリー駆動のデバイスを試験するための低コストの畳み込んだ（ｃｏｎｖｏｌｕｔｅｄ）テストストリップを提供することによって達成する。ストリップは、バッテリーを組み込む電力供給回路の端子間に配置可能である。本明細書中に用いられるように、「バッテリー」という用語は、乾電池、湿電池、燃料電池、または本明細書の後に考案され得る同様のタイプの任意の他のデバイス等の任意の内臓電源を含む。本発明のテストストリップは、上面および下面を規定する細長い絶縁層を含む。導電性材料は、上面および下面に提供されるが、上面および下面は、通常、互いに導通しない。ストリップの一部は、好適には、ポータブルでバッテリー駆動のデバイスの電気回路に配置され、デバイスを通じて導通することを防止する。ストリップのもう一方の終端部は畳み込まれ、下部導電面一部が隣接する上部面の部分と間隔を置いた関係で浮いた状態にされる。にもかかわらず、並行状態の上部および下部の導電面は十分に近接するので、面を相互に押し付けると、電気回路内に挿入されているストリップの上部面と下部面との間に電気的連続性を生成し、従って、懐中電灯等の電気デバイスが消費者によって試験される。本発明は、包装された製品において使用するために特に良好に適合し得る。この包装された製品において、消費者は、包装されているにもかかわらず、包装されているデバイスを圧迫し得、従って、畳み込み部分が圧縮され得て、包装内のデバイスを試験し得る。
【００１１】
　本発明の好適な実施形態において、細長い可撓性の絶縁層が、可撓性および弾性の両方を有し、従って、カンチレバーされない部分に対してカンチレバーされた（ｃａｎｔｉｌｅｖｅｒｅｄ）ストリップの部分をはずすと、電気的連続性が中断されて、デバイスが包装から除去されてテストストリップがデバイスから除去されるまで、テストストリップは種々の消費者によって繰り返し用いられ得る。本発明の好適な１実施形態において、畳み込みテストストリップは、本体またはテストストリップのカンチレバーされない部分に対して約４５度の角度である第１の折り目を有する。ここで、畳み込みテストストリップには、第１の折り目に対して約１３５度の角度の第２の折り目が提供され、従って、テストストリップは、折られてそれ自体の上に戻されて２重になり、カンチレバーされたおよびカンチレバーされない部分は、実質的に互いに並行になる。本発明の代替的実施形態において、畳み込みは、テストストリップを縦軸に沿って約１８０度ねじることによって、およびその後、このテストストリップを曲げてそれ自体の上に戻すことによって提供され、従って、第１の実施形態と同様にテストストリップの導電性の面が互いに面し合う。
【００１２】
　本発明の好適な実施形態において、絶縁層は、ポリマー材料で形成され得、導電層は、銅またはアルミニウムといった金属材料で形成され得る。
【００１３】
　本発明による畳み込みテストストリップは、バッテリー駆動デバイスを試験するための、低コストの畳み込みテストストリップであって、該ストリップは、該バッテリーを組み込む電力供給回路の端子間に配置可能であり、上面および下面ならびに第１の終端部および第２の終端部を規定する長細い可撓性の絶縁層と、該上面の上部導電層および該下面の下部導電層であって、該上部導電層および該下部導電層は、該絶縁層によって互いに電気的に絶縁される、上面の上部導電層および下面の下部導電層と、該ストリップの該第１の終端部に隣接する畳み込み部分であって、該下部導電層の一部が上にカンチレバーされ、該上部導電層の隣接するカンチレバーされない部分に対して弾性的に浮き、これにより、該ストリップの該カンチレバーされた部分は、該ストリップの該カンチレバーされない部分に対して押し付けられ得て、該導電層間に電気的連続性を設ける、畳み込み部分とを備え、それにより上記目的を達成する。
【００１４】
　前記絶縁層は、可撓性および弾性の両方であり、これにより、前記カンチレバーされたおよびカンチレバーされない部分が互いにはずされると、前記電気的連続性が中断されて、前記テストストリップが繰返し用いられてもよい。
【００１５】
　前記畳み込み部分は、前記ストリップを、縦軸回りに１８０度ねじることを含んでもよい。
【００１６】
　前記畳み込み部分は、前記ストリップの第１および第２の折り目を含んでもよい。
【００１７】
　前記第１の折り目は、前記カンチレバーされない部分に対して約４５度の角度であり、該第２の折り目は、該第１の折り目に対して１３５度であり、従って、前記ストリップは、それ自体の上に折られて戻されて、前記カンチレバーされたおよび該カンチレバーされない部分は、実質的に、互いに並行であってもよい。
【００１８】
　前記絶縁層はポリマーレジンから製作され、前記上部導電層および前記下部導電層は金属から製作されてもよい。
【００１９】
　前記金属は銅であってもよい。
【００２０】
　前記金属はアルミニウムであってもよい。
【００２１】
　前記ストリップの前記第２の終端部は、前記バッテリー駆動のデバイス内に前記バッテリーを組み込む電力供給回路の端子間に配置されてもよい。
【００２２】
　前記バッテリー駆動のデバイスは、個人用懐中電灯であってもよい。
【００２３】
　本発明によるテストストリップは、バッテリー駆動のデバイスを試験するための低コストの畳み込みテストストリップであって、該ストリップは、バッテリーを組み込む電力供給回路の端子間に配置可能であり、上面および下面を規定する細長い絶縁層と、該上面上の上部導電層と、該下面上の下部導電層と、該ストリップの終端部に隣接する畳み込み部分であって、該下部導電層の一部が上にカンチレバーされ、該上部導電層の隣接するカンチレバーされない部分に対して浮き、これにより、該ストリップの該カンチレバーされた部分は、該ストリップの該カンチレバーされない部分に対して押し付けられ得て、該導電層間に電気的連続性を設ける、畳み込み部分とを備え、それにより上記目的を達成する。
【００２４】
　前記絶縁層は、可撓性および弾性の両方であり、従って、前記カンチレバーされたおよびカンチレバーされない部分が互いにはずされると、前記電気的連続性が中断されて、前記テストストリップが繰返し用いられてもよい。
【００２５】
　前記畳み込み部分は、前記ストリップを、縦軸回りに１８０度ねじることを含んでもよい。
【００２６】
　前記畳み込み部分は、前記ストリップの第１および第２の折り目を含んでもよい。
【００２７】
　前記第１の折り目は、前記カンチレバーされない部分に対して約４５度の角度であり、該第２の折り目は、該第１の折り目に対して１３５度であり、従って、前記ストリップは、それ自体の上に折られて戻されて、前記カンチレバーされたおよび該カンチレバーされない部分は、実質的に、互いに並行であってもよい。
【００２８】
　前記絶縁層はポリマーレジンから製作され、前記上部導電層および前記下部導電層は金属から製作されてもよい。
【００２９】
　前記金属は銅であってもよい。
【００３０】
　前記金属はアルミニウムであってもよい。
【００３１】
　前記ストリップの前記畳み込み部分から遠位の端は、前記バッテリー駆動のデバイス内に前記バッテリーを組み込む電力供給回路の端子間に配置されてもよい。
【００３２】
　本発明によるプロセスは、バッテリー駆動のデバイスを試験する畳み込み試験ストリップを製作するプロセスであって、該ストリップは、バッテリーを組み込む電力供給回路の端子間に配置可能であり、電気的絶縁材料から製作された細長い可撓性ストリップを提供する工程と、該ストリップの両面を導電性材料でコーティングする工程と、該ストリップの終端部分を第１の折り目にて、該ストリップの本体部分に対してほぼ第１の角度で畳み込んでタブ部分を形成する工程と、該タブ部分を第１の折り目にて、該第１の折り目に対して第２の角度で畳み込む工程であって、該タブ部分が、該本体部分の上にカンチレバーの態様で浮き、これにより、該タブ部分を該本体部分に押し付けることで該ストリップの両面間に電気的連続性が設けられ得る、畳み込む工程とを包含し、それにより上記目的を達成する。
【発明の効果】
【００３３】
　本発明により、デバイスが包装された状態である間、消費者がデバイスを試験するために起動し得、バッテリー駆動のデバイスに組み込むための低コストの一時スイッチを提供可能である。
【発明を実施するための最良の形態】
【００３４】
　（好適な実施形態の詳細な説明）
　本発明の原理による畳み込みテストストリップは、通常、添付の図面の種々の図において参照符号１０で示され、本明細書中の図にて同じ符号が付けられた要素は、同じ符号が付けられた要素に対応する。テストストリップは、ＬＥＤと共に用いられることが示され、スクイズタイプ（ｓｑｕｅｅｚｅ−ｔｙｐｅ）の懐中電灯は、通常、参照符号１２で示される。懐中電灯は、二枚貝ケース１４を有する、一般的に、熱可塑性材料から製作されるタイプのものであり、「スナップ嵌め」で係合される上半分１６および下半分１８を有する。懐中電灯は、円盤状のバッテリー２２を組み込む電気回路の一部であるＬＥＤ２０、およびマイクロプロセッサまたはマイクロコントローラの形態の論理回路２４を含み、これらはすべて、図５に模式的に示される。
【００３５】
　図５に最良に見出されるように、テストストリップには、可撓性の絶縁層２６が提供され、この絶縁層は、ポリエチレンテレフタレート（ＰＥＴ）等の適切な熱可塑性樹脂から製作され得る。絶縁層２６は、好適には、約０．１ｍｍ（０．００４インチ）の厚さを有する。約２〜３千分の１インチの厚さを有するポリエステルシートもまた良好に用いられる。絶縁層は、上面および下面を規定し、これらの面は、上部導電層２８および下部導電層３０で被覆される。導電層は、好適には、銅またはアルミニウム等のメタライゼーションされたホイルであり、接着剤または蒸着といった任意の従来の手段によって付与され得る。約１７ミクロンの厚さを有する銅コーティングが望ましい。同様の厚さのアルミニウムも許容され得る。ストリップ１０が切断され得る事前加工された材料がＳｈｅｌｄａｈｌ，Ｉｎｃ．（Ｃｈａｎｄｌｅｒ、Ａｒｉｚｏｎａ、米国）から販売されている。シート材料は、好適には、約３インチの長さで８分の１インチの幅の小さいストリップに切断されて、上部導電層２８および下部導電層３０が互いに電気的に連続しない。
【００３６】
　図１および図５に示されるように、テストストリップの一方の端部がケース１４の中に配置されて、このストリップが静止位置にある場合、図５に示される回路を通る電気的連続性を妨げる。好適には、このストリップは、論理回路２４とバッテリー２２との間に挿入されるが、理論的には、ストリップの電子回路内の任意の位置での配置で十分である。
【００３７】
　テストストリップが一時スイッチとして実行することを可能にするために、テストストリップは、好適には、図２に示される第１の折線４０に沿って折り畳まれる。第１の折線は、好適には、図２に最も良好に見出されるように、テストストリップのエッジ４４に対して約４５度の角度を形成する。第１の折線４０は、一般に、参照符号４８で示される本体部分から終端タブ部分４６を線引きする。終端タブ部分４６は、その後、図４に示されるように、第２の折れ線５０でそれ自体の上に折り畳まれて、図４および図１に示される位置を想定し、ここで、終端タブ部分４６は、本体部分４８上にカンチレバーされる。折線５０は、テストストリップのエッジ４４に対して約１３５度の角度を形成する。この構成において、終端タブ部分４６上の下部導電層３０が第１の折線４０および第２の折線５０の近傍における折重ねられた材料の厚さのために、間隔を置いた関係で本体部分４８上の上部導電層２８の上にカンチレバーされることが明らかである。上述の厚さの熱可塑性材料を用いることによって、およびストリップを折り目にて指で軽く押して変形（弾力のある変形の限界を超えて）させることによって、ストリップ１０が永続的に変形され、従って、図５に示される形状を再び取り戻さないことが見出される。にもかかわらず、第１および第２の折り目は、上部導電層および下部導電層を終端タブ部分４６の近傍にて間隔をおいた関係で維持することが継続される。従って、消費者は、懐中電灯１２を試験するために、電気回路を完全にし、かつ論理回路２４を一時的に活性化させ、これによってＬＥＤ２０が発光するように、図１および図４に示される、カンチレバーされた構成において終端タブ部分４６をその下の本体部分４８に押し付けるだけでよい。このようにして、懐中電灯１２が販売前の陳列中に回路を通じてバッテリー２２の所望でない放電がなされることが回避される。取り付けられたテストストリップ１０に関する製品の使用期限は約１０年であり、これに対して、テストストリップ１０が取り付けられない同じ懐中電灯１２は、約２〜３年の使用期限を有するに過ぎないと考えられる。
【００３８】
　１０’の代替的実施形態は、図６に示される。この図において、終端タブ部分４８は、テストストリップの縦軸６０を中心として約１８０度ねじられる。終端タブ部分４６は、その後、矢印６２によって示されるように折り畳まれて、下部導電層３０は、前の実施形態の図１および図４に図示されるように、導電層２８の上にカンチレバーされる。しかしながら、この代替的実施形態において、絶縁層２６‘は、過度に弾性であり得ず、そうでない場合、テストストリップ１０’は、本代替的実施形態の畳み込みを形成する、一般に参照符号６３で示されるねじれを失う。ボール紙等の永続的に変形可能な絶縁材料が望ましい。従って、この代替的実施形態は、明らかに、一度の試験に対してのみ有用であり、この試験の時点で、テストストリップ１０’の畳み込み部分から圧力が解除されることが、必ずしも電気的連続性の中断にならない。当業者は、当然、製品の包装が湾曲した端部タブ部分４６と本体４８との間に弾力特性を提供してこの実施形態に強化した機能を提供するように設計され得ることを理解する。
【００３９】
　当業者は、この開示を再検討して、本発明の他の代替的実施形態を考案する。例として、かつ限定せず、テストストリップは、懐中電灯以外の電気デバイスと共に用いられ得る。従って、本発明は、上述の記載に限定されるべきでなく、上記の請求項による範囲で決定されるべきである。
【００４０】
　畳み込まれたバイメタルテストストリップが、非ゼロの休止電流ドレインを有する懐中電灯内のバッテリーと電気回路との間に挿入される。テストストリップを押し込んで、消費者は、懐中電灯を一時的に試験することができる。このストリップは、その後、懐中電灯が購買された後、消費者によって除去される。
【図面の簡単な説明】
【００４１】
【図１】図１は、本発明の畳み込みテストストリップを組み込むスクイズタイプのＬＥＤ懐中電灯の斜視図である。
【図２】図２は、本発明の第１の折り目の部分を図示するテストストリップの部分的斜視図である。
【図３】図３は、第１の折り目を実行することによって形成されるタブ部分を示すテストストリップの部分的斜視図である。
【図４】図４は、第２の折り目によりテストストリップの残りの部分にわたって二つ折りにされるタブ部分を示すテストストリップの部分的斜視図である。
【図５】図５は、折りたたまれない状態で電気回路に統合されたテストストリップの模式図である。
【図６】図６は、前の図からのテストストリップの畳み込みの代替的実施形態を図示する部分的斜視図である。
【符号の説明】
【００４２】
　１０　テストストリップ
　１２　懐中電灯
　２４　論理回路
　２６　絶縁層
　２８　上部導電層
　３０　下部導電層
　４０　第１の折線
　４８　本体部分
　５０　第２の折線
【図１】
2004061517.tif 000002
【図２】
2004061517.tif 000003
【図３】
2004061517.tif 000004
【図４】
2004061517.tif 000005
【図５】
2004061517.tif 000006
【図６】
2004061517.tif 000007